【手続補正書】
【提出日】平成25年9月18日(2013.9.18)
【手続補正１】
【補正対象書類名】特許請求の範囲
【補正対象項目名】全文
【補正方法】変更
【補正の内容】
【特許請求の範囲】
【請求項１】
原稿と第１の方向に配列された複数の読取画素を含む読取手段とを、前記第１の方向に垂直な第２の方向において相対的に移動させて前記原稿の画像情報を読み取る画像読取装置に用いられ、前記読取手段上に前記原稿を結像する結像光学系であって、
前記結像光学系は、アナモフィック面を含むアナモフィックレンズを有し、
前記アナモフィック面は、前記第２の方向に垂直な第１の断面内と前記第１の方向に垂直な第２の断面内とにおいて非円弧の形状より成り、
前記アナモフィックレンズは、光軸上において前記第１の断面内での屈折力が正であり、
前記第２の断面内における前記アナモフィック面の形状をＳ、前記第１の断面内において前記光軸と直交する軸をＹ軸、前記第２の断面内において光軸と直交する軸をＺ軸、前記第２の断面内における前記アナモフィック面の光軸上での曲率半径をｒ０、非球面係数をＤｉ，Ｍｊ＿ｋ，Ｅ２，Ｅ４，Ｅ６，Ｅ８，Ｅ１０、とし、前記形状Ｓを
【数１】
2011244135.tif 000001
なる式で定義した時、非球面係数Ｍｊ＿ｋを含む４次の項が０ではないことを特徴とする結像光学系。
【請求項２】
前記アナモフィック面は、光軸を中心とした軸上光束径の範囲内において、前記第１の断面内での形状と前記第２の断面内での形状とが同一であることを特徴とする請求項１に記載の結像光学系。
【請求項３】
前記アナモフィックレンズの肉厚をｄ、前記アナモフィックレンズの光入射面の光軸上での第２の方向における有効長をＳ、とするとき、
０．５≦Ｓ／ｄ≦３．０
を満たすことを特徴とする請求項１又は２に記載の結像光学系。
【請求項４】
前記アナモフィックレンズの光入射面及び光出射面の双方が前記アナモフィック面であることを特徴とする請求項１乃至３のいずれか１項に記載の結像光学系。
【請求項５】
前記アナモフィックレンズは樹脂により成形されていることを特徴とする請求項１乃至４のいずれか１項に記載の結像光学系。
【請求項６】
前記結像光学系は、前記原稿側から順に、前記原稿側に凸面を向けたメニスカス形状の正レンズ、両レンズ面が凹形状の負レンズ、両レンズ面が凸形状の正レンズ、前記読取手段側に凸面を向けたメニスカス形状でかつ前記アナモフィック面を含むレンズ、が配置されて成ることを特徴とする請求項１乃至５のいずれか１項の結像光学系。
【請求項７】
前記アナモフィック面の前記第１の方向における任意の位置での子線に関する４次の係数をＳ４ｎ、前記アナモフィック面の光軸上での子線に関する４次の係数をＳ４０、とする時、前記第１の方向の全域においてＭＴＦ曲線が極小値を持たないように、前記第１の方向に沿って光軸から離れるに従ってＳ４ｎ／Ｓ４０が連続的に変化していることを特徴とする請求項１乃至６のいずれか１項に記載の結像光学系。
【請求項８】
請求項１乃至７のいずれか１項に記載の結像光学系を備えることを特徴とする画像読取装置。
【請求項９】
原稿と第１の方向に配列された複数の読取画素を含む読取手段とを、前記第１の方向に垂直な第２の方向において相対的に移動させて前記原稿の画像情報を読み取る画像読取装置に用いられ、前記読取手段上に前記原稿を結像する結像光学系であって、
前記結像光学系は、光軸に対して回転非対称な非球面形状のアナモフィック面を含むアナモフィックレンズを有し、
前記アナモフィック面は、前記第２の方向に垂直な第１の断面内と前記第１の方向に垂直な第２の断面内とにおいて非円弧の形状より成り、
前記アナモフィックレンズは、光軸上において前記第１の断面内での屈折力が正であり、  
前記アナモフィック面の前記第２の断面内における非円弧量は、前記第１の方向の全域においてＭＴＦ曲線が極小値を持たないように、前記第１の方向に沿って光軸から離れるに従って連続的に変化していることを特徴とする結像光学系。
【手続補正２】
【補正対象書類名】明細書
【補正対象項目名】発明の名称
【補正方法】変更
【補正の内容】
【発明の名称】結像光学系及びそれを備える画像読取装置
【手続補正３】
【補正対象書類名】明細書
【補正対象項目名】０００１
【補正方法】変更
【補正の内容】
【０００１】
本発明は、原稿台に載置した原稿を読み取る結像光学系及びそれを備える画像読取装置に関する。特にアナモフィックレンズを有する画像読取レンズの光学性能を十分に発揮して精度の高い画像読取が出来るようにした、イメージスキャナー、複写機、そしてファクシミリ等の画像読取装置に好適なものである。
【手続補正４】
【補正対象書類名】明細書
【補正対象項目名】０００９
【補正方法】変更
【補正の内容】
【０００９】
本発明は、主走査方向において、サジタルフレアを軽減し、また像面彎曲収差を低減し、画像情報を高精度に読み取ることが出来る結像光学系及びそれを備える画像読取装置の提供を目的とする。
【手続補正５】
【補正対象書類名】明細書
【補正対象項目名】００１０
【補正方法】変更
【補正の内容】
【００１０】
本発明の結像光学系は、原稿と第１の方向に配列された複数の読取画素を含む読取手段とを、前記第１の方向に垂直な第２の方向において相対的に移動させて前記原稿の画像情報を読み取る画像読取装置に用いられ、前記読取手段上に前記原稿を結像する結像光学系であって、前記結像光学系は、アナモフィック面を含むアナモフィックレンズを有し、前記アナモフィック面は、前記第２の方向に垂直な第１の断面内と前記第１の方向に垂直な第２の断面内とにおいて非円弧の形状より成り、前記アナモフィックレンズは、光軸上において前記第１の断面内での屈折力が正であり、前記第２の断面内における前記アナモフィック面の形状をＳ、前記第１の断面内において前記光軸と直交する軸をＹ軸、前記第２の断面内において光軸と直交する軸をＺ軸、前記第２の断面内における前記アナモフィック面の光軸上での曲率半径をｒ０、非球面係数をＤｉ，Ｍｊ＿ｋ，Ｅ２，Ｅ４，Ｅ６，Ｅ８，Ｅ１０、とし、前記形状Ｓを
【数１】
2011244135.tif 000002
なる式で定義した時、非球面係数Ｍｊ＿ｋを含む４次の項が０ではないことを特徴とする。
【手続補正６】
【補正対象書類名】明細書
【補正対象項目名】００１１
【補正方法】変更
【補正の内容】
【００１１】
本発明によれば、主走査方向において、サジタルフレアを軽減し、また像面彎曲収差を
低減し、画像情報を高精度に読み取ることが出来る結像光学系及びそれを備える画像読取装置が得られる。
【手続補正７】
【補正対象書類名】明細書
【補正対象項目名】００１６
【補正方法】変更
【補正の内容】
【００１６】
図２、図３、図４は、・・・、主走査全域（全像高）におけるベストピント位置でのＭＴＦ（ＭＴＦピーク）の分布図（ＭＴＦ曲線）である。図５、図６、図７は、・・・、主走査全域（全像高）におけるベストピント位置でのＭＴＦ（ＭＴＦピーク）の分布図（ＭＴＦ曲線）である。
【手続補正８】
【補正対象書類名】明細書
【補正対象項目名】００２５
【補正方法】変更
【補正の内容】
【００２５】
但し、Ｒは曲率半径
ｋｙ  ，Ｂ４  ，Ｂ６  ，Ｂ８  ，Ｂ１０は母線形状Ｘに関する非球面係数
なる式で表わされる。子線形状Ｓは母線上において母線と垂直な平面を断面とし、
【手続補正９】
【補正対象書類名】明細書
【補正対象項目名】００２７
【補正方法】変更
【補正の内容】
【００２７】
但し、ｒ０  は光軸上の子線の曲率半径でＲ＝ｒ０
Ｄｉ  ，Ｍｊ＿ｋ，Ｅ２  ，Ｅ４  ，Ｅ６  ，Ｅ８  ，Ｅ１０は子線形状Ｓに関する非球面係数
なる式で表わされる。このように、実施例１の数値実施例１において、子線の曲率は、主走査断面に垂直で且つ任意の母線方向の位置におけるアナモフィック面の法線を含む面内にて定義される曲率である。言い換えれば、子線の曲率ＳＸ（Ｙ）は、主走査断面に垂直で且つ任意の母線方向の位置における母線形状の接線に垂直な線を含む面内にて定義される曲率である。母線の曲率ＲＸ（Ｙ）は主走査断面内において任意の母線方向の位置Ｙにおける曲率である。
数値実施例１
【手続補正１０】
【補正対象書類名】明細書
【補正対象項目名】００２９
【補正方法】変更
【補正の内容】
【００２９】
次に実施例１の画像読取レンズＬＧにおける、アナモフィックレンズの両面Ｒ８、Ｒ９の子線に関する４次の非球面係数Ｍｊ＿4は、Ｍ２＿４、Ｍ４＿４、Ｍ６＿４、Ｍ８＿４といった０（ゼロ）ではない値となっている。すなわち、４次の非球面係数Ｍｊ＿4が主走査方向の位置によって連続的に変化する構成をとっている。よって、非球面係数Ｍｊ＿ｋを含む４次の項も０ではないため、その４次の項を含む式で定義された子線の非円弧量が、主走査方向の位置によって連続的に変化することになる。両面に非円弧量の主走査変化を与えることで、サジタルフレアを、より良好に補正している。
【手続補正１１】
【補正対象書類名】明細書
【補正対象項目名】００３１
【補正方法】変更
【補正の内容】
【００３１】
また、主走査断面と垂直方向の副走査断面内の曲率が光軸Ｌａから母線方向（ｙ方向）に沿って離れるに従って連続的に変化する構成をとることで、像面湾曲を良好に補正している。更に、副走査断面の非円弧量も、光軸から主走査方向に沿って離れるに従って連続的に変化していることで、任意の主走査方向の位置において、サジタルフレアを良好に補正している。これにより本実施例では、図４に示すように、原稿読取幅全域において、ほぼ均一で、かつ高コントラストな画像読取レンズを達成している（本実施例のような子線に関する４次の項を用いない上述した特許文献２では、このような均一の分布とならない）。また、図３に示すように、ｅ線における像面湾曲を良好に補正している。このように、本実施例では、像面湾曲及び、サジタルフレアを主走査方向の任意の位置で良好に補正している。また、主走査方向の任意の位置での子線に関する４次の係数をＳ４ｎ、軸上の子線に関する４次の係数をＳ４０とするとき、主走査方向全域において、
−１５＜Ｓ４ｎ／Ｓ４０＜１５    ・・・（１）
を満足するようにしている。
【手続補正１２】
【補正対象書類名】明細書
【補正対象項目名】００４１
【補正方法】変更
【補正の内容】
【００４１】
実施例２の画像読取レンズＬＧにおけるアナモフィックレンズの両面Ｒ８、Ｒ９の子線に関する４次の係数は、Ｃ２４、Ｃ４４、Ｃ６４、Ｃ８４といった０（ゼロ）ではない値となっている。すなわち、４次の係数が主走査方向の位置によって連続的に変化する構成をとっている。よって、４次の係数を含む４次の項も０ではないため、その４次の項を含む式で定義された非円弧量が、主走査方向の位置によって連続的に変化することになる。両面に非円弧量の主走査変化を与えることで、サジタルフレアをより良好に補正している。
【手続補正１３】
【補正対象書類名】明細書
【補正対象項目名】００４３
【補正方法】変更
【補正の内容】
【００４３】
また、主走査断面と垂直方向の曲率が光軸Ｌａから母線方向（ｙ方向）に沿って離れるに従って連続的に変化する構成をとることで、像面湾曲を良好に補正している。更に、副走査断面の非円弧量も、光軸から主走査方向に沿って離れるに従って連続的に変化していることで、任意の主走査方向の位置において、サジタルフレアを良好に補正している。これにより、本実施例では、図７に示すように、原稿読取幅全域において、ほぼ均一で、かつ高コントラストな画像読取レンズを達成している。また、図６に示すように、ｅ線における像面湾曲をかなり良好に補正している。
【手続補正１４】
【補正対象書類名】図面
【補正対象項目名】図４
【補正方法】変更
【補正の内容】
【図４】
2011244135.tif 000003
【手続補正１５】
【補正対象書類名】図面
【補正対象項目名】図７
【補正方法】変更
【補正の内容】
【図７】
2011244135.tif 000004